(57)【特許請求の範囲】
【請求項１】
他の端末と音声を送受信する端末装置において、
照度を測定し、当該測定した照度を照度値として数値化する照度センサと、
前記数値化された照度値を記憶する記憶部と、
利用者が手に持って利用し、音声を受話又は送話するための送受話器を有するハンドセットと、
前記記憶部に記憶されている照度値と、今回照度センサが数値化した照度値とを比較をし、当該比較の結果に基づいて、通信状態を通話状態又は保留状態の何れかから他方へと切り替える制御部と、
を備え、
前記照度センサが前記ハンドセットに備えられており、
他の端末装置と通信確立中であって通話中である際に前記数値化された照度値を第１の照度値として前記記憶部に記憶し、前記第１の照度値と、今回照度センサが数値化した照度値である第２の照度値を比較する第１の比較をし、当該第１の比較の結果前記第２の照度値が前記第１の照度値よりも暗い状態を示す値であった場合は通信状態を通話状態から保留状態へと切り替える第１の切替を行うことを特徴とする端末装置。
【請求項２】
請求項１に記載の端末装置において、
前記第１の切替を行うと共に前記第２の照度値を前記記憶部に記憶し、前記第２の照度値と、今回照度センサが数値化した照度値である第３の照度値を比較する第２の比較をし、当該第２の比較の結果前記第３の照度値が前記第２の照度値よりも明るい状態を示す値であった場合は通信状態を保留状態から通話状態へと切り替える第２の切替を行うことを特徴とする端末装置。
【請求項３】
請求項２に記載の端末装置において、
前記第２の切替を行うと共に前記第３の照度値を前記記憶部に新たな第１の照度値として記憶し、当該新たな第１の照度値と前記第２の照度値を比較対象として前記第１の比較を行うことを特徴とする端末装置。
【請求項４】
照度を測定し、当該測定した照度を照度値として数値化する照度センサと、
前記数値化された照度値を記憶する記憶部と、
利用者が手に持って利用し、音声を受話又は送話するための送受話器を有するハンドセットと、
を有し、前記照度センサが前記ハンドセットに備えられている端末装置が、
前記記憶部に記憶されている照度値と、今回照度センサが数値化した照度値とを比較をし、当該比較の結果に基づいて、通信状態を通話状態又は保留状態の何れかから他方へと切り替え、
他の端末装置と通信確立中であって通話中である際に前記数値化された照度値を第１の照度値として前記記憶部に記憶し、前記第１の照度値と、今回照度センサが数値化した照度値である第２の照度値を比較する第１の比較をし、当該第１の比較の結果前記第２の照度値が前記第１の照度値よりも暗い状態を示す値であった場合は通信状態を通話状態から保留状態へと切り替える第１の切替を行うことを特徴とする保留機能実現方法。
【請求項５】
他の端末と音声を送受信する端末装置に組み込まれる保留機能実現プログラムにおいて、
照度を測定し、当該測定した照度を照度値として数値化する照度センサと、
前記数値化された照度値を記憶する記憶部と、
利用者が手に持って利用し、音声を受話又は送話するための送受話器を有するハンドセットと、
前記記憶部に記憶されている照度値と、今回照度センサが数値化した照度値とを比較をし、当該比較の結果に基づいて、通信状態を通話状態又は保留状態の何れかから他方へと切り替える制御部と、
を備え、
前記照度センサが前記ハンドセットに備えられており、
他の端末装置と通信確立中であって通話中である際に前記数値化された照度値を第１の照度値として前記記憶部に記憶し、前記第１の照度値と、今回照度センサが数値化した照度値である第２の照度値を比較する第１の比較をし、当該第１の比較の結果前記第２の照度値が前記第１の照度値よりも暗い状態を示す値であった場合は通信状態を通話状態から保留状態へと切り替える第１の切替を行うことを特徴とする端末装置としてコンピュータを機能させることを特徴とする保留機能実現プログラム。
【発明の詳細な説明】
【技術分野】
【０００１】
本発明は、通話機能を有する端末装置における通話の保留状態の制御に関する。
【背景技術】
【０００２】
電話機に代表される通信端末を用いて音声による通話を行う際に、何らかの事情により通話を一時中断したい場合がある。例えば、相手側を待たせて資料を探す場合や、担当者の在席確認をする場合である。
【０００３】
このような場合に、電話機の送受話器をそのままにしておくと周囲の雑音等の不快音を相手側の電話機に対して送出してしまう。そのため、一般的には、通信状態を保留状態へと切り替えることにより雑音が送出されないようにしてから通話を一時中断する。また、この中断時には相手側の通信端末に対して保留音を送出する、といったことも一般的に行われている。
【０００４】
例えば、特許文献１には保留音を複数用意しておき、相手側により保留音を使い分けるという技術が記載されている。また、特許文献２には、保留音の更新を行うという技術が記載されている。
【先行技術文献】
【特許文献】
【０００５】
【特許文献１】特開２００８−１３６０９１号公報
【特許文献２】特開２００８−４８１０３号公報
【発明の概要】
【発明が解決しようとする課題】
【０００６】
上述したように、通信状態を保留状態にすることにより、雑音ではなく保留音を送出することが可能となる。また、特許文献１及び２のような技術により適切な保留音を利用することができる。
【０００７】
しかしながら、通信状態を保留状態にするためにはボタンの押下に代表される何らかの操作が必要である。
【０００８】
そのため、利用者は通話を一時中断するために必ず操作を行わなければならず、この操作は利用者の負担となっていた。また、利用者が操作をすることを忘れてしまった場合には、保留状態への切り替えは行われず、利用者の意図に反して雑音等が送出されてしまうといった問題があった。
【０００９】
そこで、本発明はボタン押下といった操作を利用者に強いることなく、通話状態と保留状態を切り替えることが可能な、自動保留機能を有する端末、自動保留機能実現方法及び自動保留機能実現プログラムを提供することを目的とする。
【課題を解決するための手段】
【００１０】
本発明の第１の観点によれば、他の端末と音声を送受信する端末装置において、照度を測定し、当該測定した照度を照度値として数値化する照度センサと、前記数値化された照度値を記憶する記憶部と、利用者が手に持って利用し、音声を受話又は送話するための送受話器を有するハンドセットと、前記記憶部に記憶されている照度値と、今回照度センサが数値化した照度値とを比較をし、当該比較の結果に基づいて、通信状態を通話状態又は保留状態の何れかから他方へと切り替える制御部と、を備え、前記照度センサが前記ハンドセットに備えられており、他の端末装置と通信確立中であって通話中である際に前記数値化された照度値を第１の照度値として前記記憶部に記憶し、前記第１の照度値と、今回照度センサが数値化した照度値である第２の照度値を比較する第１の比較をし、当該第１の比較の結果前記第２の照度値が前記第１の照度値よりも暗い状態を示す値であった場合は通信状態を通話状態から保留状態へと切り替える第１の切替を行うことを特徴とする端末装置が提供される。
【００１１】
本発明の第２の観点によれば、照度を測定し、当該測定した照度を照度値として数値化する照度センサと、前記数値化された照度値を記憶する記憶部と、利用者が手に持って利用し、音声を受話又は送話するための送受話器を有するハンドセットと、を有し、前記照度センサが前記ハンドセットに備えられている端末装置が、前記記憶部に記憶されている照度値と、今回照度センサが数値化した照度値とを比較をし、当該比較の結果に基づいて、通信状態を通話状態又は保留状態の何れかから他方へと切り替え、他の端末装置と通信確立中であって通話中である際に前記数値化された照度値を第１の照度値として前記記憶部に記憶し、前記第１の照度値と、今回照度センサが数値化した照度値である第２の照度値を比較する第１の比較をし、当該第１の比較の結果前記第２の照度値が前記第１の照度値よりも暗い状態を示す値であった場合は通信状態を通話状態から保留状態へと切り替える第１の切替を行うことを特徴とする保留機能実現方法が提供される。
【００１２】
本発明の第３の観点によれば、他の端末と音声を送受信する端末装置に組み込まれる保留機能実現プログラムにおいて、照度を測定し、当該測定した照度を照度値として数値化する照度センサと、前記数値化された照度値を記憶する記憶部と、利用者が手に持って利用し、音声を受話又は送話するための送受話器を有するハンドセットと、前記記憶部に記憶されている照度値と、今回照度センサが数値化した照度値とを比較をし、当該比較の結果に基づいて、通信状態を通話状態又は保留状態の何れかから他方へと切り替える制御部と、を備え、前記照度センサが前記ハンドセットに備えられており、他の端末装置と通信確立中であって通話中である際に前記数値化された照度値を第１の照度値として前記記憶部に記憶し、前記第１の照度値と、今回照度センサが数値化した照度値である第２の照度値を比較する第１の比較をし、当該第１の比較の結果前記第２の照度値が前記第１の照度値よりも暗い状態を示す値であった場合は通信状態を通話状態から保留状態へと切り替える第１の切替を行うことを特徴とする端末装置としてコンピュータを機能させることを特徴とする保留機能実現プログラムが提供される。
【発明の効果】
【００１３】
本発明によれば、ハンドセットに備えられた照度センサにより測定された照度値に基づいて通話状態と保留状態を切り替えることから、ボタン押下といった操作を利用者に強いることなく、通話状態と保留状態を切り替えることが可能となる。
【図面の簡単な説明】
【００１４】
【図１】本発明の実施形態のシステム全体の基本的構成を表す図である。
【図２】本発明の実施形態における電話機の基本的構成を表す図である。
【図３】本発明の実施形態における電話機の基本的動を表すフローチャートである。
【図４】本発明の実施形態における保留開始ボタン押下時の基本的動作を表すフローチャートである。
【図５】本発明の実施形態における保留解除ボタン押下時の基本的動作を表すフローチャートである。
【発明を実施するための形態】
【００１５】
次に、本実施形態について図面を用いて詳細に説明する。
【００１６】
図１は、本実施形態の電話システム全体を表す図である。図１を参照すると本実施形態全体は、電話機１００−１〜電話機１００−ｍ、交換機２００及びネットワーク３００を有する。
【００１７】
電話機１００−１〜電話機１００−ｎは、通話機能を有する内線電話機であり、電話機１００−１〜電話機１００−ｎは、交換機２００に収容されている。また、今回は内線電話機として、電話機１００−１、電話機１００−２及び電話機１００−ｎの三台を図示しているが、これは例示に過ぎない。任意の台数の電話機を交換機２００に接続することが可能である。更に、交換機２００及び各内線電話機が対応可能であれば各内線電話機の一部又は全部がバス接続されていてもよい。
【００１８】
交換機２００は、一般的にＰＢＸ（Private Branch exchange）や、構内交換機、回線切替機、主装置といった称呼で呼ばれる機器であり、公衆網（いわゆる外線）であるネットワーク３００と接続されている。そして、交換機２００は主に外線からの発着信の制御、内線同士の通話の制御を行う。
【００１９】
ネットワーク３００は公衆網である。また、ネットワーク３００には電話機１００−ｎ＋１〜電話機１００−ｍが接続されている。
【００２０】
各電話機はユーザが直接操作する電話端末である。各電話機は、交換機２００に収容されている他の電話機及びネットワーク３００に接続されている他の電話機と通話を行うことが可能である。なお、各電話機がどのような通信方式に準拠しているかということは、本実施形態の要旨ではない。各電話期間で音声通話が可能であるならば任意の通信方式を採用することが可能である。
【００２１】
次に、図２を参照して各電話機の構成について説明する。なお、図２では各電話機を代表する電話機として、電話機１００を示す。なお、各電話機は電話機１００と同等の構成をしているものとする。
【００２２】
図２を参照すると電話機１００は電話機本体１１０及びハンドセット１２０を有する。
【００２３】
更に、電話機本体１１０は、切替ＳＷ１１１、保留音送出部１１２、ＲＡＭ１１３、制御部１１４、通話検出部１１５、保留開始ボタン１１６及び保留解除ボタン１１７を有している。
【００２４】
また、ハンドセット１２０は受話器１２１、送話器１２２及び照度センサ１２３を有している。
【００２５】
切替ＳＷ１１１は、他の電話機に対して送出する信号を切り替えるためのＳＷ（スイッチ：Switch）である。具体的には、切替ＳＷ１１１を切り替えることにより、保留音送出部１１２が送出する保留音又は通話検出部１１５を介して送出される音声、の何れかを他の電話機に対して送出する。
【００２６】
ここで、本実施形態においては、電話機１００と他の電話機との間で、通信が確立している状態のことを「通信確立中」と呼ぶ。また、通信確立中であって保留音送出部１１２が送出する保留音が他の電話機に対して送信されている状態（すなわち切替ＳＷ１１１が保留音送出部１１２に切り替えられている状態）のことを「保留中」と呼ぶ。更に、通信確立中であって送話器１１２が送出する音声が他の電話機に対して送信されている状態（すなわち切替ＳＷ１１１が送話器１１２に切り替えられている状態）のことを「通話中」と呼ぶ。
【００２７】
保留音送出部１１２は、保留中状態にある場合に保留音を生成し、生成した保留音を切替ＳＷ１１１に対して送出する。保留音が具体的にどのような音であるかは本実施形態の要旨ではなく、任意の音を保留音とすることが出来る。
【００２８】
また、保留音を無音とすることも考えられる。無音とした場合は、切替ＳＷ１１１が保留音送出部１１２に切り替えられた際は、通話相手の電話機には何らの音も送信されないこととなる。
【００２９】
ＲＡＭ１１３は、ＲＡＭ（Random Access Memory）により実現される記憶装置であり照度センサにより検知した照度等が保存される。
【００３０】
制御部１１４は、電話機１００の各部を制御する機能を有する。制御部１１４は、例えばＣＰＵ（Central Processing Unit）に代表される演算処理装置と、プログラムが格納された記憶装置により実現される。
【００３１】
通話検出部１１５は、電話機１００が現在通話状態にあるか否かを判定する。そして、電話機１００が現在通話状態にあるか否かを制御部１１４に通知する。更に、通話検出部１１５は、送話器１２２が検出した音（利用者の発した音声のみならず周囲の音も含む）を切替ＳＷ１１１に出力する。
【００３２】
保留開始ボタン１１６及び保留解除ボタン１１７は、利用者からの操作を受け付けるボタンであり、保留開始又は保留解除の指示を受け付ける。保留開始ボタン１１６及び保留解除ボタン１１７は、操作を受け付けた場合に、その旨を制御部１１４に通知する。なお、保留開始ボタン１１６及び保留解除ボタン１１７は、物理的なボタンとして実現されてもよいし、例えばタッチパネル上に表示される仮想的なボタンとして実現されてもよい。
【００３３】
受話器１２１及び送話器１２２は一般的な受話器及び送話器であり、受話器１２１及び送話器１２２によりハンドセット１２０は送受話器として実現される。また、照度センサ１２３は周囲の照度を感知するためのセンサであり、照度を感知し、感知した照度を「照度値」として数値化することが可能である。照度センサ１２３は、ハンドセット１２０を机等に置いた際に暗くなる場所に実装されている。ここで、照度センサを実装される場所は、ハンドセットを所定の角度で机等に置いた際に入射する光の光度が、通話中に入射する光の光度よりも弱くなるハンドセットの位置に実装される。その位置は、例えば、通話中にハンドセットに当てられた耳に当たらず、ハンドセットを持つ掌により覆われず、顔などにより暗くならず、且つ、ハンドセットを所定の角度で机等に置いた際に暗くなる位置である。より具体的には、その位置は、例えば、ハンドセットが横向きに机等に置かれることを想定し、ハンドセットの側面であってもよい。照度センサは具体的にどのように実現されてもよいが、例えば、フォトトランジスタを使うセンサ、フォトダイオードを使うセンサ及びフォトダイオードにアンプ回路を追加したセンサ等により実現することが可能である。
【００３４】
なお、ハンドセット１２０は、電話機本体１１０と分離して使用するが、分離した際電話機本体１１０とハンドセット１２０は有線接続されていてもよいし、無線接続されていてもよい。
【００３５】
無線接続とした場合は、いわゆるコードレス電話の子機として実現される。そしてコードレス電話の子機は電話機本体（親機）から離れて利用する場合が多く、通話中に親機に備えられているボタン等を容易に操作出来ない場合もあり得る。しかし、コードレス電話の子機に本実施形態を用いることにより、親機に備えられているボタンを操作しなくとも保留状態に移行、若しくは保留状態を解除することができる。また子機に保留状態に移行、若しくは保留状態を解除するためのボタン等を設ける必要が無くなる。
【００３６】
なお、ＲＡＭ１１３は記憶装置というハードウェアにより実現されるが、他の各部についてはハードウェアにより実現してもよいし、ハードウェアとソフトウェアの組合せで実現してもよい。例えば、制御部１１４に含まれる演算処理装置が、制御部１１４に含まれる記憶装置からプログラム（ソフトウェア）を読み出し、ＲＡＭ１１３を利用しながらプログラムに基づいた演算処理を行うことにより各部を実現するようにしてもよい。すなわち、電話機１００は、ソフトウェアがハードウェア資源と協働することにより実現されるものである。
【００３７】
また、図２に示す各部は電話機１００が有する各部のうち、本実施形態に特に関係する部分のみである。電話機１００は、一般的な電話機として動作するために電源等の図示を省略した部分を有している。
【００３８】
本実施形態では通信確立中に限り、照度センサ１２３で感知した明るさにて、自動的に保留動作に移行、若しくは、解除を行う。具体的には、ハンドセット１２０内部に置いた照度センサ１２３が、利用者がハンドセット１２０を置いたことを検出し、その状態が所定の時間以上続いた場合には、保留音送出部１１２で生成された保留音を送出する。この送出は制御部１１４が切替ＳＷ１１１を制御することにより実現される。また、保留開始ボタン１１６、保留解除ボタン１１７を押下する事で、任意に保留音を送出、解除することができる。
【００３９】
次に、本実施形態の動作について図面を用いて詳細に説明する。
【００４０】
最初に図３のフローチャートを参照して本実施形態の基本的動作について説明する。
【００４１】
まず、制御部１１４が通話検出部１１５を介して通話開始を検出すると、制御部１１４は照度センサ１２３が測定した照度値を検出してＲＡＭ１１３に保存する（ステップＡ１１）。なお、ステップＡ１１においてＲＡＭ１１３に保存した照度値を「第１の値」と呼ぶ。
【００４２】
その後、制御部１１４は、定期的に通話検出部１１５を監視することにより通話が継続しているか否かを定期的に確認する（ステップＡ１２）。ここで、通話が既に終了していると判断できた場合は（ステップＡ１２においてＮＯ）、処理を終了する。
【００４３】
一方、通話中である場合は（ステップＡ１２においてＹＥＳ）、制御部１１４は定期的に照度センサ１２３の照度値を検出する（ステップＡ１３）。ここでステップＡ１３において検出した照度値を第２の値と呼ぶ。
【００４４】
そして、ステップＡ１４において第２の値と、通話開始時にＲＡＭ１１３へ格納されている照度値である第１の値と比較を行う（ステップＡ１４）。
【００４５】
比較した結果、第２の値が、ＲＡＭ１１３に格納されている第１の値と比べて暗い状態を示す値になっていないと判断した場合は（ステップＡ１４においてＮＯ）、ステップＡ１２に戻り動作を継続する。
【００４６】
一方、比較した結果、第２の値が、ＲＡＭ１１３に格納されている第１の値と比べて暗い状態を示す値になっていると判断した場合は（ステップＡ１４においてＹＥＳ）、第２の値をＲＡＭ１１３に格納することにより照度値の更新を行う（ステップＡ１５）。
【００４７】
その後、切替ＳＷ１１１のスイッチを切り替えることで、保留音送出部１１２より保留音をハンドセット１２０の受話器１２１に流し電話機は保留状態へ移行する（ステップＡ１４）。
【００４８】
保留状態へ移行してから、制御部１１４は、定期的に通話検出部１１５を監視することにより通信が確立中であるか否かを定期的に確認する（ステップＡ１７）。ここで、通信確立中ではないと判断できた場合は（ステップＡ１７においてＮＯ）、処理を終了する。
【００４９】
一方、通信確立中である場合は（ステップＡ１７においてＹＥＳ）、制御部１１４は定期的に照度センサ１２３の照度値を検出する（ステップＡ１８）。ここでステップＡ１８において検出した照度値を第３の値と呼ぶ。
【００５０】
そして、ステップＡ１５において第３の値とＲＡＭ１１３へ格納されている照度値である第２の値と比較を行う（ステップＡ１９）。
【００５１】
比較した結果、第３の値が、ＲＡＭ１１３に格納されている第２の値と比べて明るい状態を示す値になっていないと判断した場合は（ステップＡ１９においてＮＯ）、ステップＡ１７に戻り動作を継続する。
【００５２】
一方、比較した結果、第３の値が、ＲＡＭ１１３に格納されている第２の値と比べて明るい状態を示す値になっていると判断した場合は（ステップＡ１９においてＹＥＳ）、第３の値をＲＡＭ１１３に格納することにより照度値の更新を行う（ステップＡ２０）。なお、この第３の値は新たな第１の値として格納する。
【００５３】
その後、切替ＳＷ１１１のスイッチをハンドセット１２０の送話器１２２の方に切り替えることで、保留解除状態と移行する（ステップＡ２１）。
【００５４】
次に、保留開始ボタン１１６が押下された場合の動作を図４のフローチャートを参照して説明する。
【００５５】
まず、制御部１１４が、保留開始ボタン１１６の押下を検知する（ステップＡ３１）。続いて制御部１１４は、電話機の状態が保留中であるか確認する（ステップＡ３２）。
【００５６】
ここで、電話機１００の状態が保留中であると判断できた場合は（ステップＡ３２においてＹＥＳ）、電話機１００は図３のステップＡ１７から動作を継続する。
【００５７】
一方、電話機１００の状態が保留中でない場合は（ステップＡ１２においてＮＯ）、通話中かの判断を行う（ステップＡ３３）。
【００５８】
ここで、電話機１００の状態が通話中でないと判断できた場合は（ステップＡ３３においてＮＯ）、処理を終了する。
【００５９】
一方、電話機１００の状態が電話機１００の状態が通話中であると判断できた場合は（ステップＡ３３においてＹＥＳ）、現在の照度センサ１２３の照度値を第２の値としてＲＡＭ１１３に格納することにより照度値の更新を行う（ステップＡ３４）。その後、切替ＳＷ１１１のスイッチを切り替えることで、保留音送出部１１２より保留音をハンドセット１２０の受話器１２１に流し電話機は保留状態へ移行し（ステップＡ３５）、図３のステップＡ１７から動作を継続する。
【００６０】
次に、保留解除ボタン１１７が押下された場合の動作を図５のフローチャートを参照して説明する。
【００６１】
まず、制御部１１４が、保留解除ボタン１１７の押下を検知する（ステップＡ４１）。続いて制御部１１４は、電話機の状態が保留中であるか確認する（ステップＡ４２）。
【００６２】
保留中と判断した場合は（ステップＡ１２においてＹＥＳ）、図３のステップＡ２０から動作を継続する。
【００６３】
一方、電話機の状態が保留中ではないと判断した場合は（ステップＡ１２においてＮＯ）、通話状態へ移行する。すなわち、図３のステップＡ１２から動作を継続する。
【００６４】
なお、本実施形態のステップＡ１４及びＡ１９においては照度値を比較することにより判断を行っている。具体的にはＲＡＭ１１３に格納されている照度値と現在の照度値の差分が閾値を超えたか否かに基づいて判断を行っている。そして、この判断に際して、通話中に保留へ移行するための照度値の閾値、保留状態から通話状態に移行するため照度値の閾値は任意に設定できるものとする。
【００６５】
また、閾値を超えた状態がどのぐらいの長さ継続したならば閾値を超えたと判断するのかということも任意に設定できる。更に、照度を検出するインターバル時間も、任意に設定できる。
【００６６】
なお、以上説明した実施形態では、通話状態を保留状態へと切り替える、又は、保留状態を通話状態へと切り替えることについて説明した。この点、本実施形態における保留状態とは多様な状態を指すものとする。
【００６７】
すなわち、相手側には、保留音送出部１１２が生成した保留音を送出してもよいし、その保留音が無音であってもよい。また、保留状態にある場合に相手側から送出されてきた音声をオフしてもよい。すなわち受話器１２１から音声を流さないようにしてもよい。また、保留状態であっても受話器１２１から音声を流すようにしてもよい。
【００６８】
更には、保留状態のときは送話器１２２及び受話器１２１以外に設けたスピーカマイクを用いてハンズフリーにて音声の送受信が出来るようにしてもよい。ここでハンズフリーとは利用者がハンドセットを持つことなく音声の送受信が出来る状態のことをいい、音声を拡声するスピーカと広範囲に音を拾うマイクにより実現される。
【００６９】
以上説明した本発明の実施形態は、ハンドセットに備えられた照度センサにより、ハンドセットを置いた際に、照度センサが暗さを感知して、電話機内にある切替ＳＷを制御する事により、自動で保留状態に移行することが出来る。そのため、保留開始ボタン等を押し忘れても、ハンドセットを放置した時に聞こえる雑音を通話相手に聞かせずに済むという効果を奏する。
【００７０】
なお、本発明の実施形態である自動保留機能を備えた端末装置は、ハードウェアにより実現することもできるが、コンピュータをその自動保留機能を備えた端末装置として機能させるためのプログラムをコンピュータがコンピュータ読み取り可能な記録媒体から読み込んで実行することによっても実現することができる。
【００７１】
また、本発明の実施形態による自動保留機能実現方法は、ハードウェアにより実現することもできるが、コンピュータにその方法を実行させるためのプログラムをコンピュータがコンピュータ読み取り可能な記録媒体から読み込んで実行することによっても実現することができる。
【００７２】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００７３】
上記の実施形態の一部又は全部は、以下の付記のようにも記載されうるが、以下には限られない。
【００７４】
（付記１）  他の端末と音声を送受信する端末装置において、
照度を測定し、当該測定した照度を照度値として数値化する照度センサと、
前記数値化された照度値を記憶する記憶部と、
利用者が手に持って利用し、音声を受話又は送話するための送受話器を有するハンドセットと、
前記記憶部に記憶されている照度値と、今回照度センサが数値化した照度値とを比較をし、当該比較の結果に基づいて、通信状態を通話状態又は保留状態の何れかから他方へと切り替える制御部と、
を備え、
前記照度センサが前記ハンドセットに備えられていることを特徴とする端末装置。
【００７５】
（付記２）  付記１に記載の端末装置において、
他の端末装置と通信確立中であって通話中である際に前記数値化された照度値を第１の照度値として前記記憶部に記憶し、前記第１の照度値と、今回照度センサが数値化した照度値である第２の照度値を比較する第１の比較をし、当該第１の比較の結果前記第２の照度値が前記第１の照度値よりも暗い状態を示す値であった場合は通信状態を通話状態から保留状態へと切り替える第１の切替を行うことを特徴とする端末装置。
【００７６】
（付記３）  付記２に記載の端末装置において、
前記第１の切替を行うと共に前記第２の照度値を前記記憶部に記憶し、前記第２の照度値と、今回照度センサが数値化した照度値である第３の照度値を比較する第２の比較をし、当該第２の比較の結果前記第３の照度値が前記第２の照度値よりも明るい状態を示す値であった場合は通信状態を保留状態から通話状態へと切り替える第２の切替を行うことを特徴とする端末装置。
【００７７】
（付記４）  付記３に記載の端末装置において、
前記第２の切替を行うと共に前記第３の照度値を前記記憶部に新たな第１の照度値として記憶し、当該新たな第１の照度値と前記第２の照度値を比較対象として前記第１の比較を行うことを特徴とする端末装置。
【００７８】
（付記５）  付記２に記載の端末装置において、
利用者からの通話状態への移行指示を受け付ける保留状態解除ボタンを更に備え、
通信状態が保留状態である場合に、前記通話状態への移行指示を受け付けた際は、通信状態を通話状態から保留状態へと切り替えると共に今回照度センサが数値化した照度値を前記記憶部に新たな第１の照度値として記憶し、当該新たな第１の照度値と前記第２の照度値を比較対象として前記第１の比較を行うことを特徴とする端末装置。
【００７９】
（付記６）  付記３に記載の端末装置において、
利用者からの保留状態への移行指示を受け付ける保留状態開始ボタンを更に備え、
通信状態が通話状態である場合に、前記保留状態への移行指示を受け付けた際は、通信状態を保留状態から通話状態へと切り替えると共に今回照度センサが数値化した照度値を前記記憶部に新たな第２の照度値として記憶し、当該新たな第２の照度値と前記第３の照度値を比較対象として前記第２の比較を行うことを特徴とする端末装置。
【００８０】
（付記７）  照度を測定し、当該測定した照度を照度値として数値化する照度センサと、
前記数値化された照度値を記憶する記憶部と、
利用者が手に持って利用し、音声を受話又は送話するための送受話器を有するハンドセットと、
を有し、前記照度センサが前記ハンドセットに備えられている端末装置が、
前記記憶部に記憶されている照度値と、今回照度センサが数値化した照度値とを比較をし、当該比較の結果に基づいて、通信状態を通話状態又は保留状態の何れかから他方へと切り替えることを特徴とする保留機能実現方法。
【００８１】
（付記８）  他の端末と音声を送受信する端末装置に組み込まれる保留機能実現プログラムにおいて、
照度を測定し、当該測定した照度を照度値として数値化する照度センサと、
前記数値化された照度値を記憶する記憶部と、
利用者が手に持って利用し、音声を受話又は送話するための送受話器を有するハンドセットと、
前記記憶部に記憶されている照度値と、今回照度センサが数値化した照度値とを比較をし、当該比較の結果に基づいて、通信状態を通話状態又は保留状態の何れかから他方へと切り替える制御部と、
を備え、
前記照度センサが前記ハンドセットに備えられている端末装置としてコンピュータを機能させることを特徴とする保留機能実現プログラム。
【符号の説明】
【００８２】
１００−１〜１００−ｍ  電話機
１１０  電話機本体
１１１  切替ＳＷ
１１２  保留音送出部
１１３  ＲＡＭ
１１４  制御部
１１５  通話検出部
１１６  保留開始ボタン
１１７  保留解除ボタン
１２０  ハンドセット
１２１  受話器
１２２  送話器
１２３  照度センサ
【図１】
0005213071.tif 000002
【図２】
0005213071.tif 000003
【図３】
0005213071.tif 000004
【図４】
0005213071.tif 000005
【図５】
0005213071.tif 000006